【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
車両に配置される表示部が表示するＵＩ（Ｕｓｅｒ  Ｉｎｔｅｒｆａｃｅ）を操作するための入力を行う入力装置であって、
ユーザによるタッチ入力を受け付けるタッチセンサと、
前記タッチセンサへの前記タッチ入力が、複数本の指によるタッチである場合、または、複数回のタップである場合、前記表示部の表示領域を構成する複数の領域のうち、前記指の本数、または、前記タップの回数に対応した前記領域を選択する制御部と、
前記タッチセンサが、前記車両に搭乗しているユーザが前記車両のシートに座っている状態で、前記ユーザの手が届く範囲の位置であって、前記車両のステアリングを除く位置に配置される第１タッチセンサを有すると共に、前記第１タッチセンサに隣接して配置され、ダイヤル入力を受け付けるダイヤルスイッチと、を備え、
前記制御部は、
前記タッチセンサへの前記タッチ入力が、複数本の前記指による第１ジェスチャ入力、または、複数回の前記タップの後の第２ジェスチャ入力である場合、前記表示部に表示されている第１表示画面から、前記第１表示画面とは異なる第２表示画面へ切り替えて前記表示部に表示させる切替処理を行い、
前記第１タッチセンサに入力された前記第１ジェスチャ入力の前記指の本数が第１の本数である場合、前記ダイヤルスイッチを操作すると前記車両が有する車載機器への設定を調整するための操作を示す操作ガイド画面を前記第２表示画面として前記表示部に表示させ、
前記第１タッチセンサに入力された前記第１ジェスチャ入力のジェスチャの種類に応じて、前記操作ガイド画面で示される前記操作の種類を切り替えると共に、前記ダイヤルスイッチを操作することで調整される設定の種類を切り替える
入力装置。
【請求項２】
前記制御部は、
前記第１の本数の前記指での前記第１ジェスチャ入力のうち、前記タッチセンサ上を所定の方向になぞる入力を受け付け、
受け付けた前記第１ジェスチャ入力が示す前記所定の方向に応じて、前記操作ガイド画面で示される前記操作の種類を切り替えると共に、前記ダイヤルスイッチを操作することで調整される設定の種類を切り替える
請求項１に記載の入力装置。
【請求項３】
車両に配置される表示部が表示するＵＩ（Ｕｓｅｒ  Ｉｎｔｅｒｆａｃｅ）を操作するための入力を行う入力装置であって、
ユーザによるタッチ入力を受け付けるタッチセンサと、
前記タッチセンサへの前記タッチ入力が、複数本の指によるタッチである場合、または、複数回のタップである場合、前記表示部の表示領域を構成する複数の領域のうち、前記指の本数、または、前記タップの回数に対応した前記領域を選択する制御部と、を備え、
前記タッチセンサは、前記車両に搭乗しているユーザが前記車両のシートに座っている状態で、前記ユーザの手が届く範囲の位置であって、前記車両のステアリングを除く位置に配置される第１タッチセンサを有し、
前記制御部は、
前記タッチセンサへの前記タッチ入力が、複数本の前記指による第１ジェスチャ入力、または、複数回の前記タップの後の第２ジェスチャ入力である場合、前記表示部に表示されている第１表示画面から、前記第１表示画面とは異なる第２表示画面へ切り替えて前記表示部に表示させる切替処理を行い、
前記第１タッチセンサに入力された前記第１ジェスチャ入力の前記指の本数が第１の本数である場合、前記車両が有する車載機器への設定を調整するための操作を示す操作ガイド画面を前記第２表示画面として前記表示部に表示させ、
前記第１タッチセンサに入力された前記第１ジェスチャ入力の前記指の本数が前記第１の本数とは異なる第２の本数である場合、前記車載機器への前記ユーザによる操作を受け付ける操作画面を前記第２表示画面として前記表示部に表示させ、
前記第２の本数の前記指での前記第１ジェスチャ入力のうち、前記タッチセンサ上を所定の方向またはその反対方向になぞる入力を受け付け、
受け付けた前記第１ジェスチャ入力が前記所定の方向である場合、複数種類の前記操作画面を予め設定された順番に切り替え、
受け付けた前記第１ジェスチャ入力が前記反対方向である場合、前記複数種類の前記操作画面を前記順番とは反対の順番に切り替える
入力装置。
【請求項４】
前記制御部は、
前記タッチセンサに入力された前記タッチ入力が複数本の前記指によるタッチである場合、または、複数回の前記タップである場合、その後に前記タッチセンサに入力されたジェスチャの種類と、当該ジェスチャの種類に応じて表示させる画面を示すアイコンとを対応付けたジェスチャガイドを、前記表示部のうち選択された前記領域に表示させる
請求項１または３に記載の入力装置。
【請求項５】
前記タッチセンサは、前記車両のステアリングに配置される第２タッチセンサを有し、
前記制御部は、前記第２タッチセンサへの前記タッチ入力が前記第２ジェスチャ入力である場合、前記切替処理を行う
請求項１または３に記載の入力装置。
【請求項６】
さらに、
前記表示部を備える
請求項１または３に記載の入力装置。
【請求項７】
車両に配置される表示部が表示するＵＩ（Ｕｓｅｒ  Ｉｎｔｅｒｆａｃｅ）を操作するための入力を行う入力装置による入力方法であって、
前記入力装置は、前記入力装置が備えるタッチセンサが、前記車両に搭乗しているユーザが前記車両のシートに座っている状態で、前記ユーザの手が届く範囲の位置であって、前記車両のステアリングを除く位置に配置される第１タッチセンサを有すると共に、前記第１タッチセンサに隣接して配置され、ダイヤル入力を受け付けるダイヤルスイッチと、を備えており、
前記入力装置が備えるタッチセンサへのユーザによるタッチ入力が、複数本の指によるタッチであるか否か、または、複数回のタップであるか否かを判定し、
前記タッチ入力が複数本の前記指によるタッチであるか、または、複数回の前記タップであると判定した場合、前記表示部の表示領域を構成する複数の領域のうち、前記指の本数、または、前記タップの回数に対応した前記領域を選択し、
前記タッチセンサへの前記タッチ入力が、複数本の前記指による第１ジェスチャ入力、または、複数回の前記タップの後の第２ジェスチャ入力である場合、前記表示部に表示されている第１表示画面から、前記第１表示画面とは異なる第２表示画面へ切り替えて前記表示部に表示させる切替処理を行い、
前記第１タッチセンサに入力された前記第１ジェスチャ入力の前記指の本数が第１の本数である場合、前記ダイヤルスイッチを操作すると前記車両が有する車載機器への設定を調整するための操作を示す操作ガイド画面を前記第２表示画面として前記表示部に表示させ、
前記第１タッチセンサに入力された前記第１ジェスチャ入力のジェスチャの種類に応じて、前記操作ガイド画面で示される前記操作の種類を切り替えると共に、前記ダイヤルスイッチを操作することで調整される設定の種類を切り替える
入力方法。
【請求項８】
車両に配置される表示部が表示するＵＩ（Ｕｓｅｒ  Ｉｎｔｅｒｆａｃｅ）を操作するための入力を行う入力装置による入力方法であって、
前記入力装置は、前記入力装置が備えるタッチセンサが、前記車両に搭乗しているユーザが前記車両のシートに座っている状態で、前記ユーザの手が届く範囲の位置であって、前記車両のステアリングを除く位置に配置される第１タッチセンサを有し、
前記タッチセンサへのユーザによるタッチ入力が、複数本の指によるタッチであるか否か、または、複数回のタップであるか否かを判定し、
前記タッチ入力が複数本の前記指によるタッチであるか、または、複数回の前記タップであると判定した場合、前記表示部の表示領域を構成する複数の領域のうち、前記指の本数、または、前記タップの回数に対応した前記領域を選択し、
前記タッチセンサへの前記タッチ入力が、複数本の前記指による第１ジェスチャ入力、または、複数回の前記タップの後の第２ジェスチャ入力である場合、前記表示部に表示されている第１表示画面から、前記第１表示画面とは異なる第２表示画面へ切り替えて前記表示部に表示させる切替処理を行い、
前記第１タッチセンサに入力された前記第１ジェスチャ入力の前記指の本数が第１の本数である場合、前記車両が有する車載機器への設定を調整するための操作を示す操作ガイド画面を前記第２表示画面として前記表示部に表示させ、
前記第１タッチセンサに入力された前記第１ジェスチャ入力の前記指の本数が前記第１の本数とは異なる第２の本数である場合、前記車載機器への前記ユーザによる操作を受け付ける操作画面を前記第２表示画面として前記表示部に表示させ、
前記第２の本数の前記指での前記第１ジェスチャ入力のうち、前記タッチセンサ上を所定の方向またはその反対方向になぞる入力を受け付け、
受け付けた前記第１ジェスチャ入力が前記所定の方向である場合、複数種類の前記操作画面を予め設定された順番に切り替え、
受け付けた前記第１ジェスチャ入力が前記反対方向である場合、前記複数種類の前記操作画面を前記順番とは反対の順番に切り替える
入力方法。
【手続補正２】
【補正対象書類名】明細書
【補正対象項目名】０００６
【補正方法】変更
【補正の内容】
【０００６】
本発明の一態様に係る入力装置は、車両に配置される表示部が表示するＵＩ（Ｕｓｅｒ  Ｉｎｔｅｒｆａｃｅ）を操作するための入力を行う入力装置であって、ユーザによるタッチ入力を受け付けるタッチセンサと、前記タッチセンサへの前記タッチ入力が、複数本の指によるタッチである場合、または、複数回のタップである場合、前記表示部の表示領域を構成する複数の領域のうち、前記指の本数、または、前記タップの回数に対応した前記領域を選択する制御部と、前記タッチセンサが、前記車両に搭乗しているユーザが前記車両のシートに座っている状態で、前記ユーザの手が届く範囲の位置であって、前記車両のステアリングを除く位置に配置される第１タッチセンサを有すると共に、前記第１タッチセンサに隣接して配置され、ダイヤル入力を受け付けるダイヤルスイッチと、を備え、前記制御部は、前記タッチセンサへの前記タッチ入力が、複数本の前記指による第１ジェスチャ入力、または、複数回の前記タップの後の第２ジェスチャ入力である場合、前記表示部に表示されている第１表示画面から、前記第１表示画面とは異なる第２表示画面へ切り替えて前記表示部に表示させる切替処理を行い、前記第１タッチセンサに入力された前記第１ジェスチャ入力の前記指の本数が第１の本数である場合、前記ダイヤルスイッチを操作すると前記車両が有する車載機器への設定を調整するための操作を示す操作ガイド画面を前記第２表示画面として前記表示部に表示させ、前記第１タッチセンサに入力された前記第１ジェスチャ入力のジェスチャの種類に応じて、前記操作ガイド画面で示される前記操作の種類を切り替えると共に、前記ダイヤルスイッチを操作することで調整される設定の種類を切り替える。
本発明の他の一態様に係る入力装置は、車両に配置される表示部が表示するＵＩ（Ｕｓｅｒ  Ｉｎｔｅｒｆａｃｅ）を操作するための入力を行う入力装置であって、ユーザによるタッチ入力を受け付けるタッチセンサと、前記タッチセンサへの前記タッチ入力が、複数本の指によるタッチである場合、または、複数回のタップである場合、前記表示部の表示領域を構成する複数の領域のうち、前記指の本数、または、前記タップの回数に対応した前記領域を選択する制御部と、を備え、前記タッチセンサは、前記車両に搭乗しているユーザが前記車両のシートに座っている状態で、前記ユーザの手が届く範囲の位置であって、前記車両のステアリングを除く位置に配置される第１タッチセンサを有し、前記制御部は、前記タッチセンサへの前記タッチ入力が、複数本の前記指による第１ジェスチャ入力、または、複数回の前記タップの後の第２ジェスチャ入力である場合、前記表示部に表示されている第１表示画面から、前記第１表示画面とは異なる第２表示画面へ切り替えて前記表示部に表示させる切替処理を行い、前記第１タッチセンサに入力された前記第１ジェスチャ入力の前記指の本数が第１の本数である場合、前記車両が有する車載機器への設定を調整するための操作を示す操作ガイド画面を前記第２表示画面として前記表示部に表示させ、前記第１タッチセンサに入力された前記第１ジェスチャ入力の前記指の本数が前記第１の本数とは異なる第２の本数である場合、前記車載機器への前記ユーザによる操作を受け付ける操作画面を前記第２表示画面として前記表示部に表示させ、前記第２の本数の前記指での前記第１ジェスチャ入力のうち、前記タッチセンサ上を所定の方向またはその反対方向になぞる入力を受け付け、受け付けた前記第１ジェスチャ入力が前記所定の方向である場合、複数種類の前記操作画面を予め設定された順番に切り替え、受け付けた前記第１ジェスチャ入力が前記反対方向である場合、前記複数種類の前記操作画面を前記順番とは反対の順番に切り替える。